(57)【要約】【課題】簡単な制御により、様々な色、模様を表示することが可能な表示装置を提供することである。【解決手段】本発明の表示装置１０は、パネル１１−１〜１１−３と、該パネル１１−１〜１１−３の発色を制御する発色制御部１２から構成される。パネル１１−１は赤色、パネル１１−２は緑色、パネル１１−３は青紫色、をそれぞれ発色時に発色する。各パネルは、非発色時はほぼ透明であり、他のパネルからの発色光を透過させ、また、発色時には他のパネルからの発色光と自パネルの発色光とを合わせた光線を発色する。【選択図】　図１
2004062047.tif 000002
【特許請求の範囲】
【請求項１】
所定色を発色するパネルを複数枚重ねて様々な色を発色する発色部と、該発色部の各パネルの発色を制御する発色制御部とを備え、
前記パネルは、非発色時には他のパネルの発色した光線を透過させ、発色時には前記他のパネルの発色した光線と自パネルの発色する光線とを合わせて出力することを特徴とする表示装置。
【請求項２】
前記複数枚のパネルは、赤色に発色するパネルと、緑色に発色するパネルと、青紫色に発色するパネルとを備えることを特徴とする請求項１記載の表示装置。
【発明の詳細な説明】
【０００１】
【発明の属する技術分野】
本発明は、表示装置に関し、特に複数枚のパネルを重ねて、様々な色を発色する表示装置に関する。
【０００２】
【従来技術】
従来、表示装置で様々な色を表示する場合に、各ドットを、赤、緑、青紫のいずれかの色で発色している。そして、各ドットが細かいため、それを遠くから見て、その濃度により様々な色や模様を表現している。
【０００３】
【発明が解決しようとする課題】
上記の方法では、表示画面上の各位置で、その位置の色情報や、色強度情報を指定しなければならず、色情報の制御が複雑になるという問題がある。
本発明の課題は、簡単な制御により、様々な色、模様を表示することが可能な表示装置を提供することである。
【０００４】
【課題を解決するための手段】
本発明の表示装置は、所定色を発色するパネルを複数枚重ねて様々な色を発色する発色部と、該発色部の各パネルの発色を制御する発色制御部とを備え、前記パネルは、非発色時には他のパネルの発色した光線を透過させ、発色時には前記他のパネルの発色した光線と自パネルの発色する光線とを合わせて出力することを特徴とする。
【０００５】
ここで、前記発色制御部は、各パネルについては、そのパネルがどの色を発色するかは予め既知であるので、そのパネルの各ドットにつき、発色／非発色の情報と、発色する場合の色強度情報のみを伝えればよい。
このように構成することで、簡単な制御により、様々な色、模様を表示することが可能な表示装置が提供できる。
【０００６】
尚、前記複数枚のパネルは、赤色に発色するパネルと、緑色に発色するパネルと、青紫色に発色するパネルとを備えることが望ましい。その場合、上記表示装置は、これら三原色（赤、緑、青紫）を用いてより多くの色を表示することが可能となる。
【０００７】
【発明の実施の形態】
以下、本発明の実施の形態を図面を参照しながら説明する。
図１は、本発明に係る表示装置を示す図である。
図１において、本発明の表示装置１０は、赤色に発色するパネル１１−１、緑色に発色するパネル１１−２、青紫色に発色するパネル１１−３、上記各パネルの発色を制御する発色制御部１２から構成される。
【０００８】
発色制御部１２は、パネル１１−１〜１１−３のいずれのパネルを発色させるかを制御し、また発色させるパネルについては、どの位置にあるドットをどの位の強度で発色させるかを制御する。パネル１１−１〜１１−３のそれぞれのパネルの所定色をどの位の強度で発色させるかという組み合わせに応じて、様々な色が表示装置１０により合成できる。
【０００９】
この発色制御部１２による制御は、予めデータとして保持されているプログラム等に基づいて行われてもよいし、また、不図示の入力部を介してユーザが行う入力指示に基づいて行われてもよい。
各パネルは、非発色時はほぼ透明であり、他のパネルからの発色光を透過させ、また、発色時には他のパネルからの発色光と自パネルの発色光とを合わせた光線を発色する。
【００１０】
その際、上記合わせた光線の色は、それぞれの光線の色を混色した色となる。例えば、３枚のパネルの内、一番奥にあるパネル１１−３を青紫色に発色させ、パネル１１−２及びパネル１１−１を非発色させる制御を発色制御部１２が行う場合に、パネル１１−３の発色する青紫色は、ほぼ透明なパネル１１−１とパネル１１−２をそれぞれ透過するので、表示装置１０は青紫色に発色する。
【００１１】
また、例えば、３枚のパネルの内、パネル１１−３とパネル１１−２を発色させる制御を発色制御部１２が行う場合に、パネル１１−１は、パネル１１−３の青紫色とパネル１１−２の緑色を合わせた色である青色を透過するので、表示装置１０は青色に発色する。
【００１２】
また、例えば、３枚のパネルを同時に発色させる制御を発色制御部１２が行えば、パネル１１−３の青紫色と、パネル１１−２の緑色と、パネル１１−１の赤色を合わせた色である白色に表示装置１０は発色する。
上記した表示装置には様々な応用が可能であり、以下に、その応用例を示す。
【００１３】
図２は、図１の表示装置の一変形例であり、その表示装置に白色に発色するパネル２１−４を更に追加したものである。尚、パネル２１−１は赤色、パネル２１−２は緑色、パネル２１−３は青紫色にそれぞれ発色するパネルであり、非発色時はそれぞれほぼ透明である。
【００１４】
この表示装置２０では、発色制御部２２は、発色させる色を変更する処理を行なわせるプログラムに基づき、パネル２１−１の赤色、パネル２１−２の緑色、パネル２１−３の青紫色、パネル２１−４の白色、の発色／非発色を制御する。パネル２１−１〜２１−３が発色する各色に、パネル２１−４が発色する白色を加えることで、発色制御部２２が各色の色強度を調整することにより、更に多くの色を合成し発色させることができる。
【００１５】
図３は、貼り絵パターンを表示する表示装置を示す図である。
図３において、表示装置３０は、それぞれが所定色に発色する複数のパネル３１−１、３１−２、・・・、３１−ｎから構成される。各パネル３１−１、３１−２、・・・、３１−ｎ上には所定形状のパターン（チップ）がそれぞれ配置されており、それら各パネルを重ねることで全体としての貼り絵パターンが得られる。尚、上記パネル３１−１、３１−２、・・・、３１−ｎは非発色時はほぼ透明である。
【００１６】
上記貼り絵パターンや、その貼り絵パターンを動作させるための間隔等を発色制御部に対し指示するプログラムは、ユーザにより不図示の情報処理装置を用いて作成される。
その情報処理装置の入力部を介して、ユーザは上記貼り絵パターンを構成するチップの大きさや位置などの指定を行う。
【００１７】
例えば、予め大きさ、形状が決められたチップについて、どのパネルのどの位置に描画するかをユーザは不図示の入力部を介して指示し、その指示に基づきチップが指定されたパネルの指定された位置に描画される。
さらに、それらチップをどのような時間間隔で発色／非発色させるか、についての情報についてもユーザは、上記情報処理装置の入力部を介して指示を行う。
【００１８】
尚、以上の説明ではチップの大きさ、形状を固定したが、その固定値を変更することもできる。
そして、このようにして作成されたプログラムに基づき、図３の表示装置３０上の貼り絵パターンは、上記プログラムにおいて指定されている時間間隔毎に貼り絵パターン上の異なる部分、または全体を発色させる。
【００１９】
尚、図３の説明では、貼り絵パターンはチップにより構成されていたが、文字や、マーク等を含んでいてもよい。そのような貼り絵パターンを、看板等に用いることができる。
また、図１〜図３に示す本発明の表示装置において、重ねるパネルの数を増やせば、発色光が各パネルを透過するときの微妙な加減により深みのある色を表現することができる。
【００２０】
また、動画などの画像データから上記した赤色、緑色、青紫色の三原色の各成分を抽出し、その抽出した成分に基づいて、上記した赤色に発色するパネルと、緑色に発色するパネルと、青紫色に発色するパネルとの各パネルについて、その色強度の分布を各時刻毎に求め、その各時刻の色強度分布を、上記赤色、緑色、青紫色の三原色のパネルに時系列的に表示させることにより、本発明の表示装置において動画表示を行うことが可能となる。
【００２１】
尚、本発明の表示装置に用いられるパネルとしては、液晶パネル等が類似の性質を有することが実験的に確認されている。
【００２２】
【発明の効果】
以上、説明したように、本発明の表示装置は、所定色を発色するパネルを複数枚重ねて様々な色を発色する発色部と、該発色部の各パネルの発色を制御する発色制御部とから構成され、前記パネルは、非発色時には他のパネルの発色した光線を透過させ、発色時には前記他のパネルの発色した光線と自パネルの発色する光線とを合わせて出力するという特徴を有している。
【００２３】
このことより、上記発色制御部は、各パネルについては、そのパネルがどの色を発色するかは予め既知であるので、そのパネルの各ドットにつき、発色／非発色の情報と、発色する場合の色強度情報のみを伝えればよく、色情報の制御を簡単に行うことが可能となる。
【図面の簡単な説明】
【図１】本発明の表示装置を示す図である。
【図２】本発明の表示装置の変形例を示す図である。
【図３】貼り絵パターンを表示する表示装置を示す図である。
【符号の説明】
１０，２０，３０　表示装置
１１−１〜１１−３　パネル
１２，２２　発色制御部
２１−１〜２１−４　パネル
３１−１，３１−２，・・・，３１−ｎ　パネル
【図１】
2004062047.tif 000003
【図２】
2004062047.tif 000004
【図３】
2004062047.tif 000005